(57)【特許請求の範囲】
【請求項１】
電線から分岐する分岐線を支持する分岐線支持具であって、
前記電線に取り付けられる第１取付部と、前記分岐線の周囲に巻き付けられた状態に取り付けられるとともに、一端が前記第１取付部に固定される第２取付部とを備え、
前記第１取付部は、内側に前記電線を挿通させる、一部が長さ方向に切り離された略円筒状の本体と、該本体の周方向の両端に一体に設けられる一対のフランジと、該一対のフランジ間を締結する締結手段とを備え、
前記第２取付部は、前記分岐線の周囲に巻き付けられる螺旋状の巻き付け部と、該巻き付け部の一端に設けられるとともに、前記一対のフランジ間で上下面が挟持されるリング状のリング部とを有する分岐線支持部と、前記リング部を前記一対のフランジ間に連結する連結手段とを備え、
前記巻き付け部は、その中心線がリング部の上下面に対して下方に所定の角度で傾斜するように構成され、
前記連結手段は、前記リング部と何れか一方の前記フランジとの間に介装される圧接板と、前記リング部の内側、及び前記圧接板の中心部を挿通した状態で、両端が前記両フランジに連結される連結ピンとを備えていることを特徴とする分岐線支持具。
【請求項２】
前記本体の内側に、二つ割りに形成されたスペーサを１つ又は２つ以上、介装させることを特徴とする請求項１に記載の分岐線支持具。
【発明の詳細な説明】
【技術分野】
【０００１】
本発明は、分岐線支持具に関し、特に、配電線等を径間途中から分岐する分岐線の支持に好適な分岐線支持具に関する。
【背景技術】
【０００２】
一般に、配電線等を電柱間等の径間途中から分岐する場合、図９に示すように、幹線２５の分岐箇所の絶縁体を除去して導体を露出させ、分岐線２６の先端の絶縁体を除去して導体を露出させ、幹線２５の導体と分岐線２６の導体とをＣ形スリーブ等のスリーブ２７で圧着することにより、幹線２５の分岐箇所に分岐線２６を電気的に接続している。
【０００３】
この場合、分岐線２６の幹線２５との接続部の近傍に、分岐線２６及び幹線２５の周囲を巻回するようにバインド線２８を巻き付けることにより、分岐線２６をバインド線２８で幹線２５側に固定し、分岐線２６の接続部に荷重が集中するのを防止している。
【０００４】
また、特許文献１には、幹線の分岐箇所にＣ型のドラム形状の引き留め具を被嵌させ、分岐補助線を介して幹線に電気的に接続した分岐線の一端を引き留めクランプで把持し、引き留めクランプの一端の係止ワイヤーを引き留め具の外周に巻き回し、幹線の外周に巻き付けたバインド線の中央部を引き留め具の外周両端の各フランジの切欠き溝に嵌め込むことにより、分岐線を引き留めるように構成した技術が記載されている。
【０００５】
さらに、特許文献２には、本線受け具と分岐線受け具とをヒンジを介して接続した引き留め具を用い、本線受け具の把持溝に本線を通すことにより引き留め具を本線に支持させ、分岐線の一端を巻き付けグリップによって把持し、この巻き付けグリップの基部を分岐線受け具の引き留めがいしの外周に巻き付けることにより、分岐線を引き留めるように構成した技術が記載されている。
【０００６】
さらに、特許文献３には、本線に固定される本線用固定具と、本線用固定具に揺動自在に接続されるとともに、分岐線の先端に固定される分岐線用固定具とからなる接続器具を用い、この接続器具により分岐線を引き留めるように構成した技術が記載されている。
【先行技術文献】
【特許文献】
【０００７】
【特許文献１】特開２０００−７８７３１号公報
【特許文献２】特開２００１−７８３４０号公報
【特許文献３】特開２００４−２７４９３３号公報
【発明の概要】
【発明が解決しようとする課題】
【０００８】
ところで、分岐線２６の幹線２５との接続部の近傍をバインド線２８で幹線２５側に固定する方法は、分岐線２６が風等によって煽られて分岐線２６に張力が生じた場合に、分岐線２６をバインド線２８で幹線２５に固定している部分に荷重が集中し、その部分から分岐線２６が断線するおそれがある。
【０００９】
また、特許文献１に記載の技術は、分岐線の一端を引き留めクランプで把持し、引き留めクランプの係止ワイヤーを幹線に取り付けた引き留め具の外周に巻き回すことで、分岐線を引き留めているが、分岐線が風等によって煽られて分岐線に張力が生じた場合に、分岐線と補助分岐線との接続部に荷重が集中し、その部分から分岐線が断線するおそれがある。
【００１０】
さらに、特許文献２に記載の技術は、分岐線の一端を巻き付けグリップで把持し、巻き付けグリップの基部を分岐線受け具の引き留めがいしの外周に巻き付けることで、分岐線を引き留めているが、分岐線が風等によって煽られて分岐線に張力が生じた場合に、分岐線の巻き付けグリップで把持している部分に荷重が集中し、その部分から分岐線が断線するおそれがある。
【００１１】
さらに、特許文献３に記載の技術は、分岐線が風等によって煽られて分岐線に張力が生じた場合に、分岐線用固定具に固定されている分岐線の部分に荷重が集中し、その部分から分岐線が断線するおそれがある。
【００１２】
本発明は、上記のような従来の問題に鑑みなされたものであって、分岐線が風等によって煽られても分岐線に断線が生じることがない、分岐線支持具を提供することを目的とする。
【課題を解決するための手段】
【００１３】
上記のような課題を解決するために、本発明は、以下のような手段を採用している。
すなわち、本発明は、電線から分岐する分岐線を支持する分岐線支持具であって、前記電線に取り付けられる第１取付部と、前記分岐線の周囲に巻き付けられた状態に取り付けられるとともに、一端が前記第１取付部に固定される第２取付部とを備え、前記第１取付部は、内側に前記電線を挿通させる、一部が長さ方向に切り離された略円筒状の本体と、該本体の周方向の両端に一体に設けられる一対のフランジと、該一対のフランジ間を締結する締結手段とを備え、前記第２取付部は、前記分岐線の周囲に巻き付けられる螺旋状の巻き付け部と、該巻き付け部の一端に設けられるとともに、前記一対のフランジ間で上下面が挟持されるリング状のリング部とを有する分岐線支持部と、前記リング部を前記一対のフランジ間に連結する連結手段とを備え、前記巻き付け部は、その中心線がリング部の上下面に対して下方に所定の角度で傾斜するように構成され、前記連結手段は、前記リング部と何れか一方の前記フランジとの間に介装される圧接板と、前記リング部の内側、及び前記圧接板の中心部を挿通した状態で、両端が前記両フランジに連結される連結ピンとを備えていることを特徴とする。
【００１４】
本発明の分岐線支持具によれば、第１取付部の本体の内側に電線を挿通させ、両フランジ間を締結手段によって締結することにより、第１取付部を電線上に取り付けることができるとともに、分岐線の周囲に巻き付けた第２取付部の一端を両フランジ間で固定することができる。
また、第２取付部の巻き付け部を分岐線の周囲の巻き付け、リング部を第１取付部のフランジ間に連結手段によって連結することにより、第２取付部を第１取付部に固定することができる。
さらに、リング部と何れか一方のフランジとの間に圧接板を介装させ、リング部の内側及び圧接板の中心部に連結ピンを挿通させ、連結ピンの両端を両フランジに連結することにより、リング部を第１取付部に取り付けることができる。
これにより、第１取付部を電線に取り付けるとともに、第２取付部を分岐線に取り付けた上で、第２取付部の一端を第１取付部に固定することができ、分岐線を支持することができる。
従って、風等によって分岐線が煽られても、分岐線に張力が生じて、分岐線が電線との接続部から断線したり、分岐線を電線に固定しているバインド線の近傍から分岐線が破断するようなことはない。
また、巻き付け部は、その中心線がリング部の上下面に対して下方に所定の角度で傾斜するように構成されているので、電線から下方に分岐線を引き出す場合に、その引き出し角度に第２取付部の巻き付け部の中心線を合わせることができ、その状態で分岐線を支持することができ、分岐線の引出角度に関わらず、分岐線を安定した状態で支持し続けることができる。
【００２３】
さらに、本発明において、前記本体の内側に、二つ割りに形成されたスペーサを１つ又は２つ以上、介装させることとしてもよい。
【００２４】
本発明の分岐線支持具によれば、電線の直径に応じて、本体の内側に１つ又は２つ以上のスペーサを介装させることにより、直径の異なる数種の電線上に第１取付部を緩みが生じることなく取り付けることができる。
【発明の効果】
【００２５】
以上、説明したように、本発明の分岐線支持具によれば、第１取付部を電線に取り付け、第２取付部を分岐線の周囲に巻き付けて、第２取付部の一端を第１取付部に固定することにより、分岐線を支持することができる。従って、風等によって分岐線が煽られても、分岐線に張力が生じるようなことはなく、分岐線が電線との接続部から断線したり、分岐線を電線に固定しているバインド線の近傍から分岐線が断線するようなことはない。
また、巻き付け部は、その中心線がリング部の上下面に対して下方に所定の角度で傾斜するように構成されているので、電線から下方に分岐線を引き出す場合に、その引き出し角度に第２取付部の巻き付け部の中心線を合わせることができ、その状態で分岐線を支持することができる。これにより、分岐線の引出角度に関わらず、分岐線を安定した状態で支持し続けることができる。
【図面の簡単な説明】
【００２６】
【図１】本発明による分岐線支持具の一実施の形態を示した概略図であって、第１取付部の締結前の状態を示した概略図である。
【図２】第１取付部の締結後の状態を示した概略図である。
【図３】第２取付部の連結手段を示した概略図である。
【図４】第２取付部の分岐線支持部を示した概略平面図である。
【図５】図４の側面図である。
【図６】分岐線支持具で分岐線を支持した状態を示した説明図である。
【図７】図６のＡ部の拡大図である。
【図８】スペーサの概略図である。
【図９】従来の分岐線の幹線への接続部を示した概略図である。
【発明を実施するための形態】
【００２７】
以下、図面を参照しながら本発明の実施の形態について説明する。
図１〜図８には、本発明による分岐線支持具の一実施の形態が示されている。本発明の分岐線支持具１は、例えば、配電線等の径間途中から分岐する分岐線の支持に好適なものであって、本実施の形態においては、図６に示すように、架空配電線（以下、幹線２５という。）を電柱３０、３０間の任意の箇所から分岐する分岐線２６の支持に適用している。
【００２８】
本実施の形態の分岐線支持具１は、図１及び図２に示すように、幹線２５に取り付けられる第１取付部２と、分岐線２６に取り付けられるとともに、一端が第１取付部２に固定される第２取付部１３とから構成されている。
【００２９】
第１取付部２は、図１及び図２に示すように、一部が長さ方向に切り離された略円筒状の本体３と、本体３の周方向の両端に全長に亘るように一体に設けられる帯板状の一対のフランジ（第１フランジ４及び第２フランジ７）と、両フランジ４、７間を締結する締結手段９とから構成されている。
【００３０】
本体３及び各フランジ４、７は、合成ゴム、合成樹脂、金属等から形成されるものであって、本体３の内側に幹線２５を挿通させた状態で、両フランジ４、７間を後述する締結手段９で締結することにより、幹線２５上の所定の位置に第１取付部２を取り付けることができる。
【００３１】
本体３は、内径が幹線２５の直径よりもやや小さく形成され、本体３の内側に幹線２５を挿通させた状態で、両フランジ４、７間を締結手段９で締結することにより、本体３の内面を幹線２５の外面に圧接させることができる。これにより、幹線２５の外面と本体３の内面との間に隙間が形成されるのを防止でき、第１取付部２を幹線２５上の所定の位置に固定することができる。
【００３２】
なお、幹線２５には、直径の異なる数種のものがあるので、対象とする幹線２５の直径が第１取付部２の本体３の内径よりも小さい場合には、幹線２５の外面と本体３の内面との間に隙間が形成されてしまう。このため、そのような場合には、図８に示すような構成のスペーサ１２を幹線２５の外面と本体３の内面との間に介装させ、隙間が形成されるのを防止する。
【００３３】
スペーサ１２は、合成ゴム、合成樹脂、金属等から形成される略円筒状をなすものであって、長さ方向に二つ割りに形成されている。このスペーサ１２を、対象の幹線２５の直径に応じて幹線２５の外面と本体３の内面との間に、１つ又は２つ以上介装させることにより、直径の異なる数種の幹線２５上に隙間が生じることなく、第１取付部２を取り付けることができる。
【００３４】
締結手段９は、図１及び図２に示すように、第１フランジ４の長手方向の両端部に設けられる一対の貫通孔５、５と、第２フランジ７の長手方向の両端部に設けられる一対の締結ピン１０、１０とから構成されている。各締結ピン１０を各貫通孔５内を貫通させて、各締結ピン１０の先端部を第１フランジ４の上面側に係止させることにより、両フランジ４、７間を締結することができる。
【００３５】
各締結ピン１０は、第２フランジ７の上面に一体に立設される丸棒状のピン部１１ａと、ピン部１１ａの先端に一体に設けられるとともに、底部がピン部１１ａの直径よりも大径の円錐形状の係止部１１ｂとから構成されている。
【００３６】
各締結ピン１０を第１フランジ４の各貫通孔５内を貫通させて、各締結ピン１０の係止部１１ｂを各貫通孔５から突出させ、各締結ピン１０の係止部１１ｂの下面を第１フランジ４の上面側に係止させることにより、両締結ピン１０、１０を介して両フランジ４、７間を締結することができる。
【００３７】
各締結ピン１０は、高剛性の材料で形成してもよいし、弾性材料で形成してもよい。各締結ピン１０を高剛性の材料で形成する場合には、第１フランジ４の各貫通孔５と縁部との間にスリットを設け、各貫通孔５を各締結ピン１０の係止部１１ｂで押し広げ可能とするか、或いは、第１フランジ４を弾性材料で形成し、各貫通孔５を締結ピン１０の係止部１１ｂで押し広げ可能とすることにより、各締結ピン１０の係止部１１ｂを各貫通孔５を貫通させて、各貫通孔５から上方に突出させることができる。
【００３８】
また、各締結ピン１０を弾性材料で形成する場合には、各締結ピン１０の係止部１１ｂを第１フランジ４の各貫通孔５内を貫通させる際に、各締結ピン１０の係止部１１ｂが圧縮変形することにより、各締結ピン１０の係止部１１ｂを各貫通孔５から上方に突出させることができる。
【００３９】
なお、締結手段９は、上記の貫通孔５、５と締結ピン１０、１０との組合せに限らず、両フランジ４、７の両端部に貫通孔をそれぞれ設け、両フランジ４、７の両貫通間にボルトを挿通させてナットで締め付ける方法、第１フランジ４又は第２フランジ７の一方の両端部にねじ孔をそれぞれ設け、第１フランジ４又は第２フランジ７の他方の両端部に貫通孔をそれぞれ設け、貫通孔を挿通させたボルトをねじ孔に螺合させて締め付ける方法、両フランジ４、７の両端部に貫通孔をそれぞれ設け、両端部に係止部を設けた締結ピンの各係止部を各フランジ４、７の各貫通孔内を貫通させ、各係止部を各貫通孔から突出させる方法等、周知の各種の締結手段を用いることができる。
【００４０】
第２取付部１３は、図１〜図５に示すように、分岐線２６の周囲に巻き付けられる所定の長さ、外径（内径）、巻き数の螺旋状の巻き付け部１５と、巻き付け部１５の一端に一体に設けられる所定の長さの直線状の直線部１６と、直線部１６の一端に一体に設けられる所定の直径のリング状のリング部１７とからなる分岐線支持部１４と、分岐線支持部１４のリング部１７を第１取付部２の両フランジ４、７間に連結する連結手段１８とから構成されている。
【００４１】
分岐線支持部１４は、ばね鋼鋼材等からなる線材を材料として加工したものであって、直線部１６の延長線上に巻き付け部１５の中心線が位置するように、かつ、リング部１７の上下面に対して巻き付け部１５の中心線が所定の角度で傾斜するように、所定の形状に加工されている。
【００４２】
分岐線支持部１４の直線部１６の長さ、巻き付け部１５の長さ、外径（内径）、巻き数、リング部１７と巻き付け部１５とのなす角度は、分岐線２６の種類、分岐線２６の引き出し方向、分岐線２６の幹線２５に対する曲げ角度等に応じて、適宜の値に設定される。
なお、巻き付け部１５は、分岐線２６が風等によって煽れても、巻き付け部１５の内側で分岐線２６にすべりが生じないように、長さ、外径（内径）、巻き数が設定されている。
【００４３】
連結手段１８は、図１〜図３に示すように、分岐線支持部１４のリング部１７の上面と第１フランジ４との間、又はリング部１７の下面と第２フランジ７との間（本実施の形態では、リング部１７の上面と第１フランジ４との間）に介装される四角形板状の圧接板１９と、第１フランジ４の中央部に設けられる第１孔６と、第２フランジ７の中央部に設けられる第２孔８と、圧接板１９の中央部及びリング部１７の内側を貫通して、一端（上端）が第１フランジ４の第１孔６に連結され、他端（下端が）第２フランジ７の第２孔８に連結される連結ピン２０とから構成されている。
【００４４】
圧接板１９は、ゴム、合成樹脂、金属等から形成されるものであって、リング部１７の直径よりも大きい四角形板状に形成され、この圧接板１９の下面と第２フランジ７の上面との間でリング部１７が挟持されている。
【００４５】
連結ピン２０は、圧接板１９の中央部を貫通した状態で上端が圧接板１９の上面から上方に所定の長さ突出し、下端が圧接板１９の下面から下方に所定の長さ突出する丸棒状のピン部２１ａと、ピン部２１ａの下端に一体に設けられる、底面がピン部２１ａの直径よりも大径の円錐形状の係止部２１ｂとから構成され、ピン部２１ａは圧接板１９の中央部に一体に連結されている。
【００４６】
圧接板１９を第１フランジ４と第２フランジ５との間に介装させて、連結ピン２０の上端部を第１フランジ４の第１孔６内に嵌合させ、連結ピン２０の下端の係止部２１ｂを分岐線支持部１４のリング部１７の内側を挿通させて、第２フランジ７の第２孔８内を貫通させて第２孔８から下方に突出させ、係止部２１ｂの上面を第２フランジ７の下面に係止させることにより、両フランジ４、」７間で分岐線支持部１４のリング部１７を固定することができる。
【００４７】
連結ピン２０は、高剛性材料で形成してもよいし、弾性材料で形成してもよい。連結ピン２０を高剛性材料で形成する場合には、第２フランジ７の第２孔８と縁部との間にスリットを設け、第２孔８を連結ピン２０の係止部２１ｂで押し広げ可能とするか、或いは、第２フランジ７を弾性材料で形成し、第２孔８を連結ピン２０の係止部２１ｂで押し広げ可能とすることにより、連結ピン２０の係止部１２ｂを第２孔８を貫通させて、第２孔８から下方に突出させることができる。
【００４８】
また、連結ピン２０を弾性材料で形成する場合には、連結ピン２０の係止部２１ｂを第２フランジ７の第２孔８内を貫通させる際に、連結ピン２０の係止部１２ｂが圧縮変形することにより、連結ピン２０の係止部１２ｂを第２孔８から下方に突出させることができる。
【００４９】
そして、上記のように構成した本実施の形態による分岐線支持具１を用いて分岐線２６を支持するには、まず、図１に示すように、第１取付部２の本体３の第１フランジ４と第２フランジ７との間を開いた状態として、この状態で本体３の内側に幹線２５を挿通させる。この場合、対象の幹線２５の直径が本体３の内径よりも小さい場合には、本体３の内面に１つ又は２つ以上のスペーサ１２（図８参照）を設け、このスペーサ１２の内側に幹線２５を挿通させる。
【００５０】
次に、分岐線２６の周囲に分岐線支持部１４の巻き付け部１５を巻き付けるとともに、リング部１７の上方からリング部１７の内側に連結手段１８の連結ピン２０の係止部２１ｂを挿通させて、連結手段１８の圧接板１９をリング部１７の上面に接触させる。
【００５１】
そして、この状態で、連結ピン２０の係止部２１ｂを第２フランジ７の第２孔８内を貫通させて、第２孔８から下方に突出させて、係止部２１ｂの上面を第２フランジ７の下面に係止させ、第１フランジ４を第２フランジ７の方向に押し付けることにより、連結ピン１０の上端を第１フランジ４の第１孔６内に嵌合させ、締結手段９の各締結ピン１０の係止部１１ｂを第１フランジ４の各貫通孔５を貫通させて、各貫通孔５から上方に突出させ、各締結ピン１０の係止部１１ｂの下面を第１フランジ４の上面に係止させる。
【００５２】
これにより、第１取付部２を幹線２５に取り付けることができるとともに、第２取付部１３を分岐線２６に取り付けた上で、第２取付部１３の一端を第１取付部２に固定することができ、分岐線２６を支持することができる。
【００５３】
そして、上記の第１取付部２の幹線２５への取り付け、第２取付部１３の分岐線２６への取り付けが完了した後に、図７に示すように、幹線２５の分岐箇所の絶縁体を除去して導体を露出させ、分岐線２６の先端の絶縁体を除去して導体を露出させ、幹線２５の導体と分岐線２６の導体とを合わせた状態で、両導体の周囲を囲むようにＣ型スリーブ等のスリーブ２７を装着し、圧着機で圧着することにより両導体を電気的に接続する。
【００５４】
そして、分岐線２６の幹線２５との接続部の近傍の複数箇所に、分岐線２６及び幹線２５の周囲を巻回するようにバインド線２８を巻き付け、分岐線２６のその部分を幹線２５側に固定するとともに、分岐線２６の幹線２５との接続部に所定の絶縁処理を施す。
【００５５】
なお、幹線２５と分岐線２６との接続作業を先に行い、その後に、第１取付部２を幹線２５に取り付け、第２取付部１３を分岐線２６に取り付ける作業を行ってもよいし、両作業を並行して行っても良い。
【００５６】
このようにして、第１取付部２を幹線２５に取り付け、第２取付部１３を分岐線２６に取り付け、第２取付部１３の一端を第１取付部２に固定し、幹線２５と分岐線２６とをスリーブ２７を介して電気的に接続し、分岐線２６の幹線２５との接続部の近傍をバインド線２８で幹線２５側に固定することにより、幹線２５の分岐箇所に分岐線２６を接続することができるとともに、分岐線２６を第１取付部２及び第２取付部１３を介して支持することができる。
【００５７】
上記のように構成した本実施の形態の分岐線支持具１にあっては、第１取付部２を幹線２５に取り付け、第２取付部１３の分岐線支持部１４の巻き付け部１５を分岐線２６に巻き付け、分岐線支持部１４の一端のリング部１７を第１取付部２の両フランジ４、７間で固定することにより、分岐線２６を支持することができる。
【００５８】
従って、分岐線２６が風等によって煽られても、分岐線２６に張力が生じるようなことはなく、分岐線２６を幹線２５に固定しているバインド線２８の近傍や、分岐線２６の幹線２５との接続部の近傍に荷重が集中して、その部分から分岐線２６が断線するようなことはなく、分岐線２６を幹線２５に接続した状態を長期的に維持することができる。
【００５９】
また、分岐線支持部１４の螺旋状の巻き付け部１５を分岐線２６の周囲に複数巻きに巻き付けることによって分岐線２６を支持し、しかも、巻き付け部１５の内側で分岐線２６にずれが生じないように、巻き付け部１５の長さ、外径（内径）、巻き数が設定されているので、分岐線２６を安定した状態で支持し続けることができ、分岐線２６の各部（バインド線２８の近傍、幹線２５との接続部の近傍）に断線が生じるのを確実に防止できる。
【００６０】
さらに、分岐線支持部１４のリング部１７の上下面と、巻き付け部１５の中心線とが所定の角度をなすように、分岐線支持部１４の直線部１６とリング部１７との境界部が所定の角度で屈曲されているので、分岐線２６を幹線２５から下方に所定の角度で引き出することができるとともに、その角度で分岐線２６を支持することができ、分岐線２６の引き出し角度に関わらず、分岐線２６を安定した状態で支持し続けることができる。
【００６１】
さらに、第１取付部２の本体３の内側にスペーサ１２を介装させることにより、直径の異なる数種の幹線２５に第１取付部２を緩みが生じることなく取り付けることができるので、直径の異なる各種の幹線２５への分岐線２６の接続に適用することができ、汎用性を高めることができる。
【００６２】
さらに、第１取付部２の幹線２５への取り付けは、本体３の内側に幹線２５を挿通させた状態で、第２フランジ７の各締結ピン１０の係止部１１ｂを第１フランジ４の各貫通孔５内を貫通させて、各貫通孔５から上方に突出させればよく、また、第２取付部１３の分岐線２６への取り付けは、分岐線支持部１４の巻き付け部１５を分岐線２６の周囲に巻き付け、この状態で分岐線支持部１４のリング部１７の内側に連結ピン２０の係止部２１ｂを挿通させて、係止部２１ｂを第２フランジ７の第２孔８内を貫通させて、第２孔８から下方に突出させ、連結ピン２０の上端を第１フランジ４の第１孔６内に嵌合させればよいので、第１取付部２及び第２取付部１３の取り付け作業を容易に行うことができる。
【００６３】
さらに、第１取付部２の本体３の内側に介装させるスペーサ１２として、厚みの異なるものを数種類用意し、第２取付部１３の分岐線支持部１４として、巻き付け部１５の長さ、外径（内径）、巻き数、リング部１７と巻き付け部１５とのなす角度の異なるものを数種類用意しておくことにより、作業指示票に記載された幹線２５と現場で確認した幹線２５の直径とに相違があっても、現場で迅速に対応することができる。
【符号の説明】
【００６４】
１  分岐線支持具
２  第１取付部
３  本体
４  第１フランジ
５  貫通孔
６  第１孔
７  第２フランジ
８  第２孔
９  締結手段
１０  締結ピン
１１ａ  ピン部
１１ｂ  係止部
１２  スペーサ
１３  第２取付部
１４  分岐線支持部
１５  巻き付け部
１６  直線部
１７  リング部
１８  連結手段
１９  圧接板
２０  連結ピン
２１ａ  ピン部
２１ｂ  係止部
２５  幹線
２６  分岐線
２７  スリーブ
２８  バインド線
３０  電柱
【図１】
0005944628.tif 000002
【図２】
0005944628.tif 000003
【図３】
0005944628.tif 000004
【図４】
0005944628.tif 000005
【図５】
0005944628.tif 000006
【図６】
0005944628.tif 000007
【図７】
0005944628.tif 000008
【図８】
0005944628.tif 000009
【図９】
0005944628.tif 000010